(57)【要約】【課題】洗濯物等を掛ける作業が容易で、掛けた後は邪魔になりにくくすることができる。【解決手段】天井等に固定される支持具１に、着脱可能に支持される一対の竿保持具２・２で物干竿３を保持する物干装置であって、竿保持具２は、長さ調整可能で、下端部近傍に長さ調整を可能にする操作具１０を設けると共に、中間部に竿受部４を設け、物干竿３には両端部に係合部５・５を設けて成り、係合部５は竿受部４に係合・離脱可能で、係合時には、物干竿３が竿保持具２に対して一定範囲内で角度を変えても落下しないように保持され得るように構成してある。【選択図】図１
2007075148.tif 000002
【特許請求の範囲】
【請求項１】
天井等に固定される支持具に、着脱可能に支持される竿保持具で物干竿を保持する物干装置であって、竿保持具は、長さ調整可能で、下端部近傍に長さ調整を可能にする操作具を設けると共に、中間部に竿受部を設けて成り、物干竿には両端部に係合部を設けて成り、係合部は竿受部に係合・離脱可能で、係合時には、物干竿が竿保持具に対して一定範囲内で角度を変えても落下しないように保持され得るように構成したことを特徴とする物干装置。
【発明の詳細な説明】
【技術分野】
【０００１】
本発明は、支持具に支持させた竿保持具に物干竿を保持させることができる物干装置に関するものである。
【背景技術】
【０００２】
従来より、特開平６−１２１７２５号発明のように、天井面に支持具を固定し、この支持具に着脱可能に吊掛具を支持させる吊掛装置は提案されており、同公報に記載されているように、この吊掛装置を間隔を離して２つ取り付けて、下端部の引掛部に物干竿を掛け渡して使用することは公知となっている。
【特許文献１】特開平６−１２１７２５号公報
【発明の開示】
【発明が解決しようとする課題】
【０００３】
上記従来例においては、物干竿に洗濯物等を掛けた後に、踏み台等を使わずに簡単にその物干竿をより高い位置に移動することはできず、通行等の邪魔になることは避けられないという問題があり、本発明は、この問題を解決することを課題としている。
【課題を解決するための手段】
【０００４】
本発明は、上記の課題を解決するために、天井等に固定される支持具に、着脱可能に支持される竿保持具で物干竿を保持する物干装置であって、竿保持具は、長さ調整可能で、下端部近傍に長さ調整を可能にする操作具を設けると共に、中間部に竿受部を設けて成り、物干竿には両端部に係合部を設けて成り、係合部は竿受部に係合・離脱可能で、係合時には、物干竿が竿保持具に対して一定範囲内で角度を変えても落下しないように保持され得るように構成したものである。
【発明の効果】
【０００５】
本発明は、上記のように構成されており、竿保持具を長く伸ばした状態で物干竿を保持し、その後下端部近傍に設けた操作具によって、竿保持具を短くすることができるので、物干竿に手の届く低い位置で洗濯物等を掛け、その後物干竿を手の届かない高い位置まで持ち上げることができ、洗濯物等を掛ける作業が容易で、掛けた後は邪魔になりにくくすることができるという効果がある。
【発明を実施するための最良の形態】
【０００６】
支持具１は、天井に固定され、下方から竿保持具２の上端の挿入部９を挿入して回動すると、竿保持具２を吊下・支持し、挿入部９を逆に回動すると、竿保持具２を外すことができるようになっている。竿保持具２は、外筒６の内部に上方から内筒７を摺動可能に収容してあり、後述するように、段階的に長さが調整できるようになっている。
【０００７】
外筒６には、下端部に介在具１９を介してリング状の引掛部８を、中間部に略円柱状の竿受部４をそれぞれ設けてある。引掛部８は、ピンチハンガーを掛けたり、物干竿を掛け渡したりすることができるが、本発明では、必ずしも必要なものではなく、竿保持具２を支持具１から着脱操作するための把手部になっているだけでもよい。竿受部４は、中央に外筒６が貫通する孔を設けてあり、ねじで任意の位置に固定することができるようになっている。また、内筒７は、間隔をおいて多数の調整孔１６・・・１６を設けてある。
【０００８】
介在具１９には、棒状で外筒６の内部に収容され、外筒６とほぼ同じ長さの固定棒１１の下端を固定してある。固定棒１１は、図１１に示すように、断面形状が、円形状の一面側に円弧状溝の切欠溝２０を、他面側に切欠溝２０より小さい円弧状溝の回止溝２１を切り欠き形成した形状であり、上端部には、ストッパー１２が回動可能に取り付けられ、さらにその少し下方に抜止ボール１５を一部が外方に突出するように取り付けてある。ストッパー１２は、一端に爪部１３を設けてあり、この爪部１３が内筒７の調整孔１６・・・１６のいずれかに選択的に係合するようになっている。
【０００９】
さらに介在具１９には、固定棒１１の切欠溝２０に包囲されるよう位置する断面円形状の作動棒１８を上下摺動可能に取り付けてある。作動棒１８は、下端部を操作具１０に固定されており、上端部はストッパー１２に係合するようになっている。
【００１０】
内筒７は、ストッパー１２が取り付けられた固定棒１１と作動棒１８を内部に収容するように、外筒６に摺動可能に取り付けられる。内筒７の下端部には内方に突出する抜止突起１７を設けてあり、この抜止突起１７は、固定棒１１の回止溝２１に沿って摺動し、外筒６と内筒７が互いに回転するのを防止すると共に、外筒６が下方に移動した時に固定棒１１に取り付けた抜止ボール１５に当接して外筒６が内筒７から抜けるのを防止している。
【００１１】
操作具１０は、介在具１９の内部に摺動可能に収容される円柱状の収容部１０ｂと、介在具１９の外部に露出し手動操作可能な手動部１０ａとを一体的に結合させて組み立てたもので、介在具１９の内部で収容部１０ｂの下部に位置するばね１４で上方に付勢されている。
【００１２】
操作具１０に固定されている作動棒１８も、ばね１４で上方に付勢されることになり、その上端部がストッパー１２を押して爪部１３を外方に、つまり、内筒７の調整孔１６に係合する方向に回動するようになっている。
従って、爪部１３がいずれの調整孔１６・・・１６にも係合していない状態で、外筒６を上下に移動すると、爪部１３がいずれかの調整孔１６に位置した時に、ばね１４の力でそこに係合することになる。
【００１３】
竿保持具２の長さを調整するには、ストッパー１２の爪部１３が内筒７の調整孔１６に係合している状態（図７及び図９参照）から、まず手動部１０ａを操作して操作具１０をばね１４に抗して下方に移動させ、操作具１０に固定された作動棒１８の先端を下げて、外方に押されていたストッパー１２の爪部１３が内方に回動できる状態にする。この状態から外筒６を上方に移動すると、ストッパー１２も上方に移動し、爪部１３の上部の斜面が調整孔１６の上縁に当接してストッパー１２が内方に回動し、ストッパー１２の爪部１３が調整孔１６から外れ（図８及び図１０参照）、外筒６は内筒７に対して上下に摺動可能な状態となる。
【００１４】
そして、外筒６を上下いずれかに摺動させて、竿保持具２を適当な長さに調整してから、操作具１０の手動部１０ａを放す。すると、ばね１４の力で操作具１０を介して作動棒１８が押し上げられ、ストッパー１２を押して爪部１３を外方に回動して、爪部１３が内筒７の調整孔１６に係合し、竿保持具２の長さを変更することができる。
【００１５】
物干竿３は、両端に係合部５・５を設けてある。係合部５は、外方に開口するＵ字状の溝を設け、その溝から竿保持具２の外筒６が挿入できるようにし、その溝の両側を下方から抉ってそこに竿受部４が収容され、係合部５が竿受部４に係合されるようにしてある。この竿受部４と係合部５との係合構造によれば、物干竿３が竿保持具２に対して直角の時はもちろん、図６に示すような、角度が直角でない場合でも、物干竿３は竿保持具２に係合・保持されている。なお、この係合構造は、物干竿３が竿保持具２に対して一定範囲内で角度を変えても落下しないように保持され得るように構成されていればよく、上記実施例の他種々のものが考えられる。
【００１６】
本発明の物干装置を使用するには、竿保持具２・２を最も長く伸ばしたにして、天井に固定された支持具１・１にそれぞれ取り付け、竿受部４・４に、物干竿３の両端の係合部５・５を片側づつそれぞれ係合させる。
【００１７】
竿保持具２・２は共に長く伸ばした状態なので、保持されている物干竿３は低い位置にあり、この状態で物干竿３に洗濯物等を掛け、その後、一方の竿保持具２の下端部近傍に設けた操作具１０を操作して、外筒６を押し上げ、竿保持具２の長さを短くして物干竿３の一方端を高い位置に持ち上げる（図６参照）。さらに、他方の竿保持具２も同様にして長さを短くして物干竿３を平行に高い位置に持ち上げる。このようにすると、物干竿３は手の届かない高い位置まで持ち上げることができ、洗濯物等を掛けていても邪魔になりにくくなる。
【００１８】
竿受部４に、物干竿３の係合部５を係合させるには、物干竿３を持って係合部５に竿受部４上部の外筒６がＵ字状の溝から挿入されるようにし（図３参照）、係合部５を下げて竿受部４に上方から係合するようにすればよい（図４参照）。また、竿受部４から、物干竿３の係合部５を離脱させるには、上記とは逆に、物干竿３を持ち上げてから係合部５を側方に移動させ、外筒６から引き抜けばよい。
【００１９】
なお、竿保持具２を支持具１に着脱可能に取り付ける方法は、特開平６−１２１７２５号公報に記載されている構造等、公知の構造でよいので詳しい説明は省略する。
【図面の簡単な説明】
【００２０】
【図１】使用状態を示す全体正面図である。
【図２】要部の斜視図であり、物干竿の係合部が竿保持具の竿受部と離れている状態を示している。
【図３】要部の斜視図であり、物干竿の係合部に竿保持具の上部棒状部が挿入された状態を示している。
【図４】要部の斜視図であり、物干竿の係合部が竿保持具の竿受部に係合した状態を示している。
【図５】図４の要部拡大断面図である。
【図６】物干竿が竿保持具に取り付けられる直前の状態を示す正面図である。
【図７】ストッパーが調整孔に係合している状態の竿保持具の要部の縦断面図である。
【図８】ストッパーが調整孔に係合していない状態の竿保持具の要部の縦断面図である。
【図９】図７の要部拡大図である。
【図１０】図８の要部拡大図である。
【図１１】図７のＡ−Ａ線拡大端面図である。
【符号の説明】
【００２１】
１    支持具
２    竿保持具
３    物干竿
４    竿受部
５    係合部
１０    操作具
【図１】
2007075148.tif 000003
【図２】
2007075148.tif 000004
【図３】
2007075148.tif 000005
【図４】
2007075148.tif 000006
【図５】
2007075148.tif 000007
【図６】
2007075148.tif 000008
【図７】
2007075148.tif 000009
【図８】
2007075148.tif 000010
【図９】
2007075148.tif 000011
【図１０】
2007075148.tif 000012
【図１１】
2007075148.tif 000013